(57)【要約】【課題】感光性記録媒体に記録していた内容を簡単に把握できる一方で、第３者には内容情報を簡単には読取れないようにして機密性を高めたカートリッジを提供する。【解決手段】ディスク状のホログラム記録媒体３と、ホログラム記録媒体３を回転自在に収容すると共に、ホログラム記録媒体３の一部を外部に露呈させる開口２１ａを有するカートリッジ本体２Ａと、遮光性材料で形成され、カートリッジ本体２Ａの開口２１ａを開閉するシャッタ４とを備える感光性記録媒体用カートリッジ１Ａであって、カートリッジ本体２Ａの、シャッタ４が開いたときに外部に露出する領域の一部に、外部からタグリーダにより誘導電磁界又は電波を介して、ホログラム記録媒体３に記録されている情報内容に関する要約或いはインデックスなどの情報を読取可能な、ＲＦＩＤタグ９を備える。【選択図】図２
2007095198.tif 000002
【特許請求の範囲】
【請求項１】
ディスク状の感光性記録媒体と、
前記感光性記録媒体を回転自在に収容すると共に、前記感光性記録媒体の中心と記録面とを外部に露呈させるための内側開口を設けた遮光性を有するカートリッジ本体と、
遮光性を有し、前記カートリッジ本体の前記開口を開閉するシャッタと、
前記カートリッジ本体で、前記シャッタが開いたときに外部に露出する領域に設けられた非接触ＩＣタグとを備える感光性記録媒体用カートリッジ。
【請求項２】
前記シャッタの外側且つ前記内側開口と対向位置に外側開口を有して開口以外の前記シャッタの移動範囲を覆って遮光する遮光板を備え、
前記カートリッジ本体で、前記遮光板外側開口内の領域に非接触ＩＣタグを設けた請求項１記載の感光性記録媒体用カートリッジ。
【請求項３】
前記カートリッジ本体は、前記感光性記録媒体に対する内面と、前記シャッタに対する外面とに、表面粗さRa：５〜２０μｍのマット加工、またはシボ加工が施されていることを特徴とする請求項１又は２のいずれかに記載の感光性記録媒体用カートリッジ。
【請求項４】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から３のいずれか１つに記載の感光性記録媒体用カートリッジ。
【請求項５】
前記第１シェル及び第２シェルと、シャッタは、その成形に用いられるプラスチックに遮光性物質が０．０１〜５．００重量％添加されていることを特徴とする請求項１から４のいずれか１つに記載の感光性記録媒体用カートリッジ。
【請求項６】
前記第１シェル及び第２シェルと、シャッタは、その成形に用いられるプラスチックにカーボンブラックが０．０１〜２．００重量％添加されていることを特徴とする請求項１から５のいずれか１つに記載の感光性記録媒体用カートリッジ。
【請求項７】
前記第１シェル及び第２シェルと、シャッタは、その成形に用いられるプラスチックにシリコーン系滑剤が０．１〜５．０重量％添加されていることを特徴とする請求項１から６のいずれか１つに記載の感光性記録媒体用カートリッジ。
【請求項８】
前記感光性記録媒体は、ホログラム記録媒体であることを特徴とする請求項１から７のいずれか１つに記載の感光性記録媒体用カートリッジ。
【発明の詳細な説明】
【技術分野】
【０００１】
本発明は、感光性記録媒体を内部に収容するカートリッジに係り、特に内部に収容した感光性記録媒体の記録内容などを確認できる感光性記録媒体用カートリッジに関する。
【背景技術】
【０００２】
各種の情報をディスク状の記録媒体に記録した光ディスクが各種開発されている。このような光ディスクでは、記録内容を簡単に把握できるようにするために、例えばケーシングなどの外面にメモ欄などを設けたラベルなどを貼付することがしばしば行われている。
【０００３】
従って、このメモ欄に、光ディスクでの記録内容について、例えば題名、要約、或いはインデックス、さらには識別番号（ＩＤ）などの個別情報（以下、これを「内容情報」とよぶ）を記載しておけば、光ディスクをわざわざ再生装置などで再生しなくても内容情報を簡単に確認できるので便宜である。特に、多数枚の光ディスクを取り扱う場合には、例えば所望の情報が記録された光ディスクを捜し出したり、分野ごとに整理するなどの作業を行うのに困難を伴う。
一方、この光ディスクには、重要な機密情報などを記録することもある。その場合、内容情報がラベルに文字などで記載してあると、その内容情報を使用者以外に誰でも読取ることができるので問題である。
【０００４】
そこで、多数枚の光ディスクの内容をざっと把握したり分野ごとにまとめるような作業などを簡単に行えるようにするとともに、他人が簡単に読取れないようにするため、例えば電波や誘導電磁界などを媒介として内容情報を読取るＲＦＩＤ（Radio Frequency Identification）タグを付設したものも提案されている(例えば、特許文献１参照)。
【０００５】
また、近時、ホログラムによってデータを記録するホログラム記録媒体も提案されている（例えば、特許文献２参照）。このため、このホログラム記録媒体に記録されている内容についても、ホログラム記録媒体の真正な所有者などが、簡単に内容情報を把握でき、多数枚の光ディスクの内容をざっと把握したり分野ごとにまとめるような作業などを簡単に行える一方で、第３者が容易に把握できないように機密保持を保つことができるような手段の開発が望まれている。
【特許文献１】特開２００１―３１９３８０号公報
【特許文献２】特開２００４―０２９４７６号公報
【発明の開示】
【発明が解決しようとする課題】
【０００６】
本発明は、上記事情に鑑みてなされたもので、その目的は、感光性記録媒体に関する内容情報を読取って、その感光性記録媒体に記録していた内容を簡単に把握することができる一方で、第３者には内容情報を簡単には読取れないようにして機密性を高めたカートリッジを提供することにある。
【課題を解決するための手段】
【０００７】
本発明の上記目的は、以下の構成により達成される。
（１）  ディスク状の感光性記録媒体と、前記感光性記録媒体を回転自在に収容すると共に、前記感光性記録媒体の中心と記録面とを外部に露呈させるための内側開口を設けた遮光性を有するカートリッジ本体と、遮光性を有し、前記カートリッジ本体の前記開口を開閉するシャッタと、前記カートリッジ本体で、前記シャッタが開いたときに外部に露出する領域に設けられた非接触ＩＣタグとを備える感光性記録媒体用カートリッジ。
（２）  前記シャッタの外側且つ前記内側開口と対向位置に外側開口を有して開口以外の前記シャッタの移動範囲を覆って遮光する遮光板を備え、前記カートリッジ本体で、前記遮光板外側開口内の領域に非接触ＩＣタグを設けた上記（１）記載の感光性記録媒体用カートリッジ。
【０００８】
また、上記カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【０００９】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１０】
上記カートリッジは、第１シェル及び第２シェルと、シャッタは、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【００１１】
また、上記カートリッジは、第１シェル及び第２シェルと、シャッタは、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【００１２】
上記カートリッジは、前記感光性記録媒体としてホログラム記録媒体に適用できる。上記構成により、ホログラム記録媒体を感光させることなく、持ち運びができ、設置位置の異なる記録装置で利用可能となる。
【発明の効果】
【００１３】
本発明によれば、感光性記録媒体に記録した内容に関する内容情報を読取ることで、使用者などが感光性記録媒体に記録した内容を把握することができる一方で、第３者には把握できないようにして機密性を高めたカートリッジを提供できる。
【発明を実施するための最良の形態】
【００１４】
以下、本発明に係るホログラム記録媒体用のカートリッジ（以下、「カートリッジ」という。）の実施形態について、添付図面に基づいて詳しく説明する。
【００１５】
［第１の実施形態］
図１は、カートリッジ１Ａを一方の面側から見た状態における外観形状を示す全体斜視図であり、図２は、図１のカートリッジ１Ａのシャッタ４を開放した状態を示す全体斜視図である。図３はカートリッジ１Ａを構成するカートリッジ本体２Ａ、ディスク状の感光性記録媒体３及びシャッタ４を示す分解斜視図、図４（ａ）及び（ｂ）は、図１のIVａ−IVａ線断面図及び図２のIVｂ−IVｂ線断面図である。
【００１６】
カートリッジ１Ａは、円板形状の感光性記録媒体、即ちホログラム記録媒体３（以下、「記録ディスク」という。）を収容すると共に記録ディスク３の一部を外部に露呈させる開口を有するカートリッジ本体２Ａと、遮光性材料で形成され、カートリッジ本体２Ａの開口を開閉するシャッタ４とを備えている。
【００１７】
このカートリッジ本体２Ａは、略板状に形成された第１シェル２ａと、第１シェル２ａに重ね合せるように接合する略板状の第２シェル２ｂとからなる。なお、第１シェル２ａと第２シェル２ｂは、後述するＲＦＩＤタグ９の読取及び書込の際に障害となる電波吸収性のある材料や電磁シールディング作用のある金属材料を避けた物質であって、しかも遮光性の材料で形成されている。本実施形態では、例えば、遮光性物質と滑剤とが添加された適宜の熱可塑性プラスチック材料などを用いて、射出成形により形成されている。
【００１８】
カートリッジ本体２Ａの内部には、重ね合わせる第１シェル２ａと第２シェル２ｂとの間にディスク収容部２０（図４参照）が設けられている。ディスク収容部２０には、記録ディスク３が回転自在に収容されている。記録ディスク３は、カートリッジ本体２Ａの内部に収容された状態で取り扱われる。
【００１９】
記録ディスク３は、中心部に穴をあけてディスク状に形成したものであり、両面に感光性材料からなるホログラム記録層を設けており、感光性記録媒体を構成している。ホログラム記録層には、例えば緑色５３２ｎｍ〜青色４０５ｎｍの波長域のレーザ光により、データがレーザ光の干渉縞として多層記録される。なお、記録ディスク３の穴部に補強材を付加してもよい。
【００２０】
カートリッジ本体２Ａの第１シェル２ａ及び第２シェル２ｂには、それぞれ、ディスク収容部２０に収容した記録ディスク３の一部を外部に露呈させるための略舌形状の開口２１ａ，２１ｂが貫通した状態で穿設されている。
【００２１】
また、この第１シェル２ａ及び第２シェル２ｂには、それぞれ、開口２１ａ，２１ｂを囲むような状態で立ち上がった開口壁２２ａ，２２ｂが形成されており、このうちの第１シェル２ａの開口壁２２ａには、非接触ＩＣタグであるＲＦＩＤタグ９が取付けられている。
【００２２】
シャッタ４は、カートリッジ本体２Ａにスライド可能な状態で取付けられており、前述したように、光ディスク３に記録してある情報の読取及び書込の際、並びにＲＦＩＤタグ９の読取などの際に、開口２１ａ，２１ｂを開放する。このシャッタ４は、図１に示す矢印Ｃ方向に閉じ位置まで移動させることで、開口２１ａ，２１ｂが該シャッタ４によって遮蔽される。また、このシャッタ４は、図２に示す矢印Ｂ方向に開き位置まで移動させることで、開口２１ａ，２１ｂが開放される。
【００２３】
なお、シャッタ４は、ＲＦＩＤタグ９の読取などの際には開口２１ａ，２１ｂを開放しており、その読取の障害となることはないので、金属などの遮光性を有する材料で形成されている。また、このシャッタ４は、遮光性の材料であって、電波吸収性のある材料や電磁シールディング作用のある金属材料を避けた物質、例えば、遮光性物質と滑剤とが添加された適宜の熱可塑性プラスチック材料などを用いて、射出成形により形成されていてもよい。
【００２４】
また、シャッタ４は、図示しないバネによって閉じ方向である矢印Ｃ方向に付勢されている。そして、普段、シャッタ４は、カートリッジ本体２Ａに形成されたロック機構２３によって、閉じ位置でロックされている。こうして、カートリッジ１Ａは、カートリッジ本体２Ａに対する振動や衝撃等によってシャッタ４が移動し、開口２１ａ，２１ｂが不必要に開放されることを防止している。
【００２５】
このＲＦＩＤタグ９は、非常に薄くて小型のものであり、しかも電波や誘導電磁界が作用する距離内であればどこでも設置可能である。このため、本実施形態の場合、前述しように、第１シェル２ａの開口壁２２ａに、ＩＣタグの一種であるＲＦＩＤタグ９が取付けられている。このＲＦＩＤタグ９は、図５（ａ）に示すように、コイルで形成したアンテナ９ａと、メモリを備えたＩＣチップ９ｂとを備えており、タグライタにより電波（又は誘導電磁界）により非接触で保存した情報を、タグリーダで読取るように構成されている。なお、これらのアンテナ９ａ及びＩＣチップ９ｂは、絶縁性の基板に実装されているとともに、その両面を薄いフィルムで挟着（又はモールディング）させてある。
【００２６】
タグリーダやタグライタには、本実施形態の場合、光ディスク３用の記録装置又は再生装置のピックアップ部などにアンテナなどを付設した構成のものを用いている。なお、このような構成の他に、専用のタグリーダやタグライタでＲＦＩＤタグ９の読取りや書込みを行うようにしても良いが、その場合、カートリッジ本体２Ａに設けたロック解除機構やシャッタ４の開閉機構を備える必要がある。
【００２７】
アンテナ９ａは、略矩形状又は円形状で、かつ、らせん状に複数回巻き装して設けており、両端部がＩＣチップ９ｂに接続されている。一方、ＩＣチップ９ｂは、図５（ｂ）に示すように、入力がアンテナ９ａに接続された受信部９１と、出力がアンテナ９ａに接続された送信部９２と、入力が受信部９１の出力に接続されるとともに、出力が送信部の入力に接続された制御部９３と、制御部９３と接続されたメモリ９４と、入力がアンテナ９ａに接続されるとともに出力が制御部９３の入力に接続された電源部９５とを備えている。
【００２８】
メモリ９４には、記録ディスク３に各種の情報を記録した後、タグライタ又はタグリーダライタを用いて、記録ディスク３に記録されている各種の情報についての内容情報、例えば題名、インデックス、或いは要約、さらには識別番号（ＩＤ）などを（記録日時などとともに）保存してある。従って、メモリ９４に保存しておいた記録ディスク３に記録されている各種の情報についての内容情報、つまり題名、要約、或いはインデックス、さらには識別番号（ＩＤ）などは、タグリーダ又はタグリーダライタにより、その後、いつでも図示外の表示部などで読取ることができる。なお、本実施形態では、タグリーダ又はタグ（リーダ）ライタが、記録ディスク３の記録装置又は再生装置に設けてあるので、表示部もこの記録装置又は再生装置に設けてある表示部で兼用している。
【００２９】
このように構成したカートリッジ１Ａは、記録ディスク３にデータを記録する図示外の記録装置や、記録ディスク３からデータを読み出す図示外の再生装置に設けられたカートリッジスロットに対して装填方向Ａから挿入される。
【００３０】
例えば、図１に示すシャッタ４が閉じた状態で、カートリッジ１Ａが図示外の記録装置又は再生装置に装填された場合には、記録装置又は再生装置のピックアップ部が、カートリッジ本体２Ａの下面に位置する第１シェル２ａ側の開口２１ａからカートリッジ本体２Ａ内に挿入され、記録ディスク３の下面のホログラム記録層に対しデータが記録又は再生される。また、ＲＦＩＤタグ９の読取を行う場合にも、同様の操作を行うようになっている。
【００３１】
記録装置及び再生装置の内部には、何れも図示しないが、カートリッジ１Ａのロック機構２３を解除するロック解除機構と、シャッタ３を閉じ位置と開き位置との間で移動させるシャッタ開閉機構とが組み込まれている。ロック解除機構が、シャッタ３のロック機構２３を解除し、シャッタ開閉機構がシャッタ３の側面に形成された挿入穴に駆動用のピンを挿入し、該ピンを矢印Ｂ方向に駆動させ、シャッタ３を開き位置まで移動させる。こうして、図２に示すように、カートリッジ１Ａの両面の開口２１ａ，２１ｂが開放される。
【００３２】
さらに、この記録装置及び再生装置には、前述のＲＦＩＤタグ９を読取るために、そのＲＦＩＤタグ９と対向するこのＲＦＩＤタグ９の設置部位の近傍まで入り込んでくるピックアップ部に、図示外のタグリーダ用又はタグリーダライタ用の送受信アンテナを付設している。また、記録装置及び再生装置には、タグリーダ又はタグリーダライタの本体部分を構成する、復調回路や変調回路、制御部、メモリ、電源部及び表示部などを設けており、ＲＦＩＤタグ９で読取った記録ディスク３に記録されている各種の内部情報、例えば、題名、インデックス、或いは要約、さらには識別番号（ＩＤ）などを表示部に表示できる。なお、この表示部は、前述したように、記録装置及び再生装置に設けた記録ディスク３に記録されている各種の情報を表示するための表示部で兼用している。
【００３３】
次に、本実施形態のＲＦＩＤタグ９に保存された内容情報の読取作用について、若干の説明を行う。
図４（ａ）に示すようにシャッタ３を閉じた状態から、この状態とは上下逆さまにして、記録装置又は再生装置に装填する。すると、同図（ｂ）に示すように、図示外の記録装置又は再生装置に設けたロック機構２３を解除するロック解除機構とシャッタ開閉機構が作動して、シャッタ３が開き、ピックアップ部がカートリッジ本体２内の開口２１ａ近傍まで侵入する。従って、このピックアップ部に付設したタグリーダ用の送受信アンテナ部と、開口壁２２ａに設けたＲＦＩＤタグ９のアンテナ９ａとの間で、特定周波数の電波（例えば、１３．５６ＭＨｚ）による送受信を行う。これにより、ＲＦＩＤタグ９のメモリ９４に保存されている記録ディスク３に記録されている内容情報、例えば、題名、インデックス、或いは要約、さらには識別番号（ＩＤ）などを、記録装置又は再生装置の表示部に表示できる。
【００３４】
［第２の実施形態］
次に、図６〜図９を参照しながら、本発明の第２の実施形態に係るカートリッジ１Ｂについて説明する。なお、本実施形態において、第１の実施形態と同一部分には同一符号を付して重複説明を避ける。
図６〜図９は本実施形態に係るカートリッジ１Ｂの外観形状を示す斜視図、分解斜視図及び断面図である。具体的には、図６は、カートリッジ１Ｂのシャッタ６を閉じた状態を示す斜視図、図７はカートリッジ１Ｂのシャッタ６を開いた状態を示す斜視図、図８はカートリッジ１Ｂを構成するカートリッジ本体２Ｂ、遮光板５、シャッタ６及び収容部２０内の円板形状のホログラム記録媒体を示す分解斜視図、図９は図６のXａ−Xａ線断面図である。
【００３５】
本実施形態のカートリッジ１Ｂは、内部に記録ディスク３を収容するディスク収容部２０が設けられたカートリッジ本体２Ｂと、このカートリッジ本体２Ｂを外側から挟み込むようにして取付ける遮光板５と、カートリッジ本体２Ｂと遮光板５との間に組み込まれるシャッタ６とを備えている。なお、このカートリッジ１Ｂも、記録ディスク３に各種データを記録する記録装置や、記録ディスク３から各種データを読み出す再生装置に設けられたカートリッジスロットに対して装填方向Ａから挿入する。
【００３６】
カートリッジ１Ｂは、図示外の記録装置又は再生装置のロック解除機構でロック機構２４が解除されるとともに、記録装置又は再生装置のスライド機構（シャッタ６を閉じ位置と開き位置との間で移動させる）でシャッタ６が開き位置に移動されて、開口２１ａ、２１ｂ及び後述する外部開口５３ａ、５３ｂが開放される。
【００３７】
次に、カートリッジ本体２Ｂ、遮光板５、シャッタ６について詳細に説明する。
（Ｉ）カートリッジ本体２Ｂについて
まず、カートリッジ本体２は、略板状に形成された第１シェル２ｃと、第１シェル２ｃに重ね合せるように接合する略板状の第２シェル２ｄとを備えている。なお、第１シェル２ａと第２シェル２ｂは、第１の実施形態と同様に、後述するＲＦＩＤタグ９の読取及び書込の際に障害となる電波吸収性のある材料や電磁シールディング作用のある金属材料を避けた物質であって、しかも遮光性の材料で形成されている。本実施形態では、例えば、遮光性物質と滑剤とが添加された適宜の熱可塑性プラスチック材料などを用いて、射出成形により形成されている。
【００３８】
第１、第２シェル２ｃ、２ｄのディスク収容部２０は、第１、第２シェル２ｃ、２ｄそれぞれからカートリッジ内部にせり出し、ディスク３の全周を遮光する円周状の突条２４ａ，２４ｂにより形成されている。また、ディスク収容部２０に収容した記録ディスク３の一部を外部に露呈させる、第１の開口である略舌形状の開口２１ａ、２１ｂが貫通した状態で開口されている。特に、ディスク挿入方向Ａ側においては、開口２１ａ、２１ｂはディスク３以外の部分も開口する形状である。突条２４ａ，２４ｂは開口２１ａ、２１ｂの位置では、開口２１ａ、２１ｂに沿った形状を成しており、このディスク３以外の領域にある空間Ｐ（ディスク収容部２０の一部ともなる）をも遮光している。そこで、このディスク３以外の領域にある空間Ｐに面している突条２４ａ，２４ｂにＲＦＩＤタグ９が取付けられている。
また、第１、第２シェル２ｃ、２ｄの外面には、図４に示すように、遮光板５が配置されており、この遮光板５と第１、第２シェル２ｃ、２ｄとの間に形成されるスライド室にシャッタ６がスライド可能な状態で設置されている。
【００３９】
（ＩＩ）遮光板５について
一方、遮光板５は、図８に示すように、カートリッジ本体２Ｂの挿入面（挿入Ａ方向側の先端面）に当接する板状のガイド部５１と、カートリッジ本体２Ｂの外面との間で中空空間を形成しこの空間内にシャッタ６をスライド可能に収容するスライド室を構成する略板状の遮光部５２ａ、５２ｂとを備えている。
【００４０】
また、この遮光部５２ａ、５２ｂには、後述の開き位置のときに第１の開口であるカートリッジ本体２の略舌形状の開口２１ａ、２１ｂと対向する部位に、記録ディスク３の中心と記録面とを外部に露呈させるための第２の開口となる略舌形状の外部開口５３ａ、５３ｂが開口されている。この外部開口５３ａ、５３ｂは、スライド室内のシャッタ６が閉じ位置に移動して閉じられることにより、カートリッジ本体２Ｂのディスク収容部２０が遮光及び防塵されるため、記録ディスク３は、感光されることなく、かつ清浄な状態に保持できる。
【００４１】
遮光板５には、ＲＦＩＤタグ９の読取りの際に外部開口５３ａを介して外部開口５３ａからタグリーダが挿入されるので、特にこの遮光板５の材質には金属を用いても構わない。なお、ＲＦＩＤタグ９の読取や書込の際に障害となる電波吸収性のある材料や電磁シールディング作用のある金属材料を避けた物質であって、しかも遮光性を有する材料、換言すれば、遮光性、耐食性、装飾性、加工性を得ることができ、かつ軽量で強度のある材料として、適宜のプラスチック材料を用いてもよい。その場合、この遮光板５も、シャッタ６に対する滑り性を確保するために、滑剤が添加されたものを用いるとよい。
【００４２】
（ＩＩＩ）シャッタ６について
シャッタ６は、第１シェル２ｃの開口２１ａ及び遮光板５の外部開口５３ａと同じかそれよりも大きな外形を有するとともに、遮光性を有するシャッタ部６１ａ、６１ｂと、このシャッタ部６１ａ、６１ｂの一面（図８では上端部）に取付けられる薄板状のスライド部６２とを遮光板５のスライド室内に移動可能に設置している。また、このシャッタ６には、読取装置や再生装置に備えたスライド機構によりシャッタ６をスライドさせるときに連結させる連結部材６３と、シャッタバネ６４を備えている。
【００４３】
シャッタ６は、カートリッジ本体２Ｂの第１の開口である開口２１ａを閉じる「閉じ位置」と開口２１ａを開放する「開き位置」との間でスライド可能に配設されており、内蔵するシャッタバネ６４によって閉じ位置に常時付勢され、かつカートリッジ本体２Ｂのロック機構２４によって閉じ位置でロックされている。このため、シャッタ６が不用意に開放されることがない。
【００４４】
なお、このシャッタ６も、金属（遮光性）材料で形成されている。即ち、このシャッタ６も、同様の理由により、ＲＦＩＤタグ９を読取るときにはタグリーダが遮光板５内のシャッタ６の後退した外部開口５３ａ、開口２１ａに進入してくるので、シャッタ６が金属であっても特に障害となることはない。なお、ＲＦＩＤタグ９の読取書込の際に障害となる電波吸収性のある材料や電磁シールディング作用のある金属材料を避けた物質であって、しかも遮光性を有する材料で形成してもよい。即ち、遮光性、耐食性、装飾性、加工性を得ることができ、かつ軽量で強度のある材料として、例えばポリプロピレンなどの適宜のプラスチック材料を用いてもよい。この場合、この材料には、遮光板５及びカートリッジ本体２Ｂに対する滑り性を確保するために、滑剤が添加されたものを用いるとよい。
なお、第１シェル２ｃの突条２２ａに取付けられているＲＦＩＤタグ９は、シャッタ部６１ａの内面に接触することがないよう、つまり第１シェル２ｃの外面に僅かでも突出することがないように取付けてある。
【００４５】
次に、本実施形態のＲＦＩＤタグ９に保存された内容情報の読取作用について、説明する。
図９は図６のXａ-Xａ線断面図である。カートリッジ本体２Ｂはシャッタ６を閉じた状態から記録装置又は再生装置に装填する。すると、シャッタ６が開き、第１の実施形態と同様に、ピックアップ部がカートリッジ本体２Ｂ内の開口２１ａ長手方向を覆うように侵入する。従って、第１の実施形態と同様に、このピックアップ部に付設したタグリーダ用の送受信アンテナ部と、突条２４ａに設けたＲＦＩＤタグ９のアンテナ９ａとの間で、特定周波数の電波（例えば、１３．５６ＭＨｚ）による送受信を行う。これにより、ＲＦＩＤタグ９のメモリ９４に保存されている内容情報、即ち題名、インデックス、或いは要約、さらには識別番号（ＩＤ）などを、記録装置又は再生装置の表示部に表示して読取ることができる。
【００４６】
なお、本発明は、前述した実施形態に限定されるものではなく、適宜な変形、改良などが可能である。
例えば、第１実施形態及び第２実施形態の何れでも、ＲＦＩＤタグ９が第１シェル２ａ又は２ｃの開口２１ａを囲むような状態で立ち上がった突条２４ａに取付けられているが、本発明では、特にこの部位に限定して取付けなくてもよい。また、いずれの実施形態でも、ホログラム記録媒体を収容するカートリッジを例に説明したが、本発明は、その他の感光性を有する記録媒体を収容するカ一トリッジにも適用することができる。
【００４７】
本発明のカートリッジは、使用者などが、ＩＣタグに保存してある情報を、タグリーダなどを用いて読取ることができる一方、第３者はその情報をタグリーダなどがない限り読取ることができないので、使用者はホログラム記録媒体などの感光性記録媒体に記録されている内容を素早く把握することができるばかりか、第３者が感光性記録媒体に記録されている記録内容を把握するのを防ぐことができる効果を有し、機密性の高いカートリッジ等として有用である。
【実施例】
【００４８】
次に、本発明の実施例について説明する。
上側シェル及び下側シェルの成形に用いる熱可塑性プラスチックには、PBT、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００４９】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００５０】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００５１】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００５２】
遮光性物質としてカーボンブラックを使用する場合には、その添加量を０．０１〜２．００重量％とするのが好ましい。上述したように、遮光性及び物理強度のバランスがよいプラスチックを得るためである。
【００５３】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００５４】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００５５】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００５６】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００５７】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００５８】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００５９】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【図面の簡単な説明】
【００６０】
【図１】本発明の第１の実施形態に係るカートリッジの外観形状を示す斜視図である。
【図２】そのカートリッジのシャッタ開放状態を示す外観斜視図である。
【図３】そのカートリッジの構成を示す分解斜視図である。
【図４】（ａ）は図１のIVａ-IVａ線断面図、（ｂ）は図２のIVｂ-IVｂ線断面図である。
【図５】そのカートリッジに取付けるＲＦＩＤタグを示すものであり（ａ）は平面図、（ｂ）は構成ブロック図である。
【図６】本発明の第２の実施形態に係るカートリッジの外観形状を示す斜視図である。
【図７】そのカートリッジのシャッタ開放状態を示す外観斜視図である。
【図８】そのカートリッジの構成を示す分解斜視図である。
【図９】図６のXａ-Xａ線断面図である。
【符号の説明】
【００６１】
１Ａ、１Ｂ  カートリッジ
２Ａ、２Ｂ  カートリッジ本体
２ａ、２ｃ  第１シェル
２ｂ、２ｄ  第２シェル
２０  ディスク収容部
２１ａ、２１ｂ  開口
２２ａ、２２ｂ  開口壁
２４ａ，２４ｂ  突条
３  ホログラム記録媒体（記録ディスク）
４  シャッタ
５  遮光板
５３ａ、５３ｂ  外部開口
６  シャッタ
９  ＲＦＩＤタグ（ＩＣタグ）
９ａ  アンテナ
９ｂ  ＩＣチップ
９３  制御部
９４  メモリ
Ａ  挿入方向
Ｂ  開き方向
Ｃ  閉じ方向
Ｐ  空間
【図１】
2007095198.tif 000003
【図２】
2007095198.tif 000004
【図３】
2007095198.tif 000005
【図４】
2007095198.tif 000006
【図５】
2007095198.tif 000007
【図６】
2007095198.tif 000008
【図７】
2007095198.tif 000009
【図８】
2007095198.tif 000010
【図９】
2007095198.tif 000011